(57)【要約】      （修正有）【課題】蓋板を背板に交換可能に取付けることができるランドセルを提供する。【解決手段】ランドセルにおいて、背板３の外側（背負面側）に取付ける第１連結雄体１１ａと、第１連結雄体の連結軸部１３ａに装着した蓋板５を着脱可能に連結固定する第１連結雌体３１ａと、第１連結雄体を背板の内側（収納室側）から連結する第１または第２保持軸３９ａと、第１連結雄体に連結した第１連結雌体の弛みを防止する第１ロック手段とからなる。第１ロック手段は、第１連結雄体の嵌合軸部１７ａに設けた嵌合凹部１８ａとロック凹部２０ａに、第１連結雌体の連結孔３２ａに設けたロック鍔部３３ａと、可動ロック片３５ａの内側に設けた嵌合凸部３６ａとロック凸部３７ａを着脱可能に嵌合してなる。【選択図】図３
0003213899.tif 000002
【実用新案登録請求の範囲】
【請求項１】
背板（３）の背面側に主収容室と副収容室と前ポケットを設けたランドセル本体（２）と、該ランドセル本体の上面全体を覆う蓋板（５）と、前記背板３の上部中央に一端を取付けた背負ベルトとからなるランドセル（１）において、
前記蓋板（５）を背板（３）に着脱可能に取付ける第１連結留具（１０ａ）は、前記背板（３）の外側（背負面側）に取付ける第１連結雄体（１１ａ）と、
前記第１連結雄体（１１ａ）の連結軸部（１３ａ）に装着した蓋板（５）を着脱可能に連結固定する第１連結雌体（３１ａ）と、
前記第１連結雄体（１１ａ）を背板（３）の内側（収納室側）から連結する第１または第２保持軸（３９ａ、３９ｂ）と、
前記第１連結雄体（１１ａ）に連結した第１連結雌体（３１ａ）の弛みを防止する第１ロック手段（Ｍ）とからなることを特徴とするランドセル。
【請求項２】
前記ランドセル（１）の蓋板（５）は、挿通孔（６）の周縁下地に設けた補強芯地（７）を介して連通孔（６）の内周縁には金属製の補強環（８）を取付けてなることを特徴とする請求項１記載のランドセル。
【請求項３】
前記第１連結雄体（１１ａ）は、一端に設けた係止鍔部（１２ａ）の軸心方向に前記蓋板（５）を連結する連結軸部（１３ａ）と係止軸部（１６ａ）と嵌合軸部（１７ａ）とを同一軸心上に連設し、前記嵌合軸部（１７ａ）は、周縁を平行方向に切欠いた切欠部（１９ａ）と端面の中央に嵌合凹部（１８ａ）を設け、該嵌合凹部の周縁にロック凹部（２０ａ）を備え、前記係止鍔部（１２ａ）側の中央軸心方向に前記第１または第２保持軸（３９ａ、３９ｂ）の挿通軸部（４１ａ、４１ｂ）が嵌合する軸受孔（２３ａ）を設けてなることを特徴とする請求項１記載のランドセル。
【請求項４】
前記第１連結雌体（３１ａ）は、一端に前記第１連結雄体（１１ａ）の嵌合軸部（１７ａ）に挿通する連結孔（３２ａ）の内周縁に前記嵌合軸部（１７ａ）の裏面に係止するロック鍔部（３３ａ）を設け、他端の端面に三方向を切欠いて設けた可撓性を有する可動ロック片（３５ａ）の内側に、前記第１連結雄体（１１ａ）の嵌合凹部（１８ａ）およびロック凹部（２０ａ）とそれぞれ着脱可能に嵌合する嵌合凸部（３６ａ）とロック凸部（３７ａ）を一体に設けてなることを特徴とする請求項１記載のランドセル。
【請求項５】
前記第１ロック手段（Ｍ）は、第１連結雄体（１１ａ）の嵌合軸部（１７ａ）に設けた嵌合凹部（１８ａ）とロック凹部（２０ａ）に、第１連結雌体（３１ａ）の連結孔（３２ａ）に設けたロック鍔部（３３ａ）と、可動ロック片（３５ａ）の内側に設けた嵌合凸部（３６ａ）とロック凸部（３７ａ）を着脱可能に嵌合してなることを特徴とする請求項１記載のランドセル。
【請求項６】
前記第１保持軸（３９ａ）は、一端に設けた頭部（４０ａ）の軸心方向に挿通軸部（４１ａ）を一体に設け、該挿通軸部の外周面に複数の鍔部（５５）を軸心方向に設けてなり、前記第１連結雄体（１１ａ）の軸受孔（２３ａ）に挿通軸部（４１ａ）を圧入して連結することを特徴とする請求項１または３記載のランドセル。
【請求項７】
前記第２保持軸（３９ｂ）は、一端に設けた頭部（４０ｂ）の軸心方向に挿通軸部（４１ｂ）を一体に設け、該挿通軸部の外周面に螺条部（５６）を一体に設けてなり、前記第１連結雄体（１１ａ）の軸受孔（２３ａ）に設けたネジ部と挿通軸部（４１ｂ）に設けた螺条部（５６ｂ）とを螺着して連結可能にしてなることを特徴とする請求項１または３記載にランドセル。
【請求項８】
背板（３）の背面側に主収容室と副収容室と前ポケットを設けたランドセル本体（２）と、該ランドセル本体の上面全体を覆う蓋板（５）と、前記背板（３）の上部中央に一端を取付けた背負ベルトとからなるランドセル（１）において、
前記背板（３）に蓋板（５）を着脱可能に取付ける第２連結留具（１０ｂ）は、前記背板（３）の外側（背負面側）に取付ける第２連結雄体（１１ｂ）と、
前記第２連結雄体（１１ｂ）の連結軸部（１３ｂ）に装着した蓋板（５）を着脱可能に連結固定する第２連結雌体（３１ｂ）と、
前記第２連結雄体（１１ｂ）を背板（３）の内側（収納室側）から連結する第３または第４保持軸（３９ｃ、３９ｄ）と、
前記背板（３）に結合した第２連結雄体（１１ｂ）と第３または第４保持軸（３９ｃ、３９ｄ）とを固着する第１または第２固定ピン（４７ａ、４７ｂ）と、
互いに連結した第２連結雄体（１１ｂ）と第２連結雌体（３１ｂ）との間に第１ロック手段（Ｍ）を設けてなることを特徴とするランドセル。
【請求項９】
前記ランドセル（１）の蓋板（５）は、挿通孔（６）の周縁下地に設けた補強芯地（７）を介して連通孔（６）の内周縁には金属製の補強環（８）を取付けてなることを特徴とする請求項８記載のランドセル。
【請求項１０】
前記第２連結雄体（１１ｂ）は、一端に設けた係止鍔部（１２ｂ）の軸心方向に前記蓋板（５）を連結する連結軸部（１３ｂ）と係止軸部（１６ｂ）と嵌合軸部（１７ｂ）とを同一軸心上に連設し、前記嵌合軸部（１７ｂ）は、周縁を平行方向に切欠いた切欠部（１９ｂ）と端面の中央に嵌合凹部（１８ｂ）を設け、該嵌合凹部の周縁にロック凹部（２０ｂ）を備え、前記係止鍔部（１２ｂ）側の中央軸心方向に前記第３または第４保持軸（３９ｃ、３９ｄ）の挿通軸部（４１ｃ、４１ｄ）が嵌合する軸受孔（２３ｂ）を設け、該軸受孔と前記嵌合凹部（１８ｂ）との間をピン孔（２２）で連通してなることを特徴とする請求項８記載のランドセル。
【請求項１１】
前記第２連結雌体（３１ｂ）は、一端に前記第２連結雄体（１１ｂ）の嵌合軸部（１７ｂ）に挿通する連結孔（３２ｂ）の内周縁に前記嵌合軸部（１７ｂ）の切欠部（１９ｂ）に挿通して嵌合軸部１７ｂにロックするロック鍔部（３３ｂ）を設け、他端の端面に三方向を切欠いた切溝部（３４ｂ）を有した可撓性を有する可動ロック片（３５ｂ）を設けてなり、この可動ロック片（３５ｂ）の内側に前記第２連結雄体（１１ｂ）の嵌合凹部（１８ｂ）とロック凹部（２０ｂ）にそれぞれ着脱可能に嵌合する嵌合凸部（３６ｂ）と周縁にロック凸部（３７ｂ）を一体に設けてなることを特徴とする請求項８記載のランドセル。
【請求項１２】
前記第１ロック手段（Ｍ）は、第２連結雄体（１１ｂ）の嵌合軸部（１７ｂ）と該嵌合軸部に設けた嵌合凹部（１８ｂ）とロック凹部（２０ｂ）に、第２連結雌体（３１ｂ）の連結孔（３２ｂ）に設けたロック鍔部（３３ｂ）と、可動ロック片（３５ｂ）の内側に設けた嵌合凸部（３６ｂ）とロック凸部（３７ｂ）とを着脱可能に嵌合してなることを特徴とする請求項８記載のランドセル。
【請求項１３】
前記第３保持軸（３９ｃ）は、一端に設けた頭部（４０ｃ）の軸心方向に挿通軸部（４１ｃ）を一体に設け、該挿通軸部の中央軸心方向に第１、２固定ピン（４７ａ、４７ｂ）の軸部（４９ａ、４９ｂ）を嵌合または螺合する軸孔（４２ｃ）を設けてなることを特徴とする請求項８記載のランドセル。
【請求項１４】
前記第４保持軸（３９ｄ）は、一端に設けた頭部（４０ｄ）の軸心方向に設けた挿通軸部（４１ｄ）の外周面全体に金属材からなる保護筒部（４３）を装着し、挿通軸部（４１ｄ）の中央軸心方向に第１、２固定ピン（４７ａ、４７ｂ）の軸部（４９ａ、４９ｂ）を嵌合または螺合する軸孔（４２ｄ）を設けてなることを特徴とする請求項８記載のランドセル。
【請求項１５】
前記第１固定ピン（４７ａ）は、一端に設けた頭部（４８ａ）の軸心方向に軸部（４９ａ）を一体に形成し、該軸部の同心円上に複数の鍔部（５１）を一体に設けてなることを特徴とする請求項８記載のランドセル。
【請求項１６】
前記第２固定ピン（４７ｂ）は、一端に設けた頭部（４８ｂ）の軸心方向に設けた軸部（４９ｂ）に螺条部（５２）を一体に設けてなることを特徴とする請求項８記載のランドセル。
【請求項１７】
背板（３）の背面側に主収容室と副収容室と前ポケットを設けたランドセル本体（２）と、該ランドセル本体の上面全体を覆う蓋板（５）と、前記背板（３）の上部中央に一端を取付けた背負ベルトとからなるランドセル（１）において、
前記背板（３）に蓋板（５）を着脱可能に取付ける第３連結留具（６０）は、前記背板３の外側（背負面側）に取付ける第３連結雄体（６１）と、
前記第３連結雄体（６１）の連結軸部（６３）に装着した蓋板（５）を着脱可能に連結固定する第２ロック手段（Ｔ）を有する第３連結雌体（７１）と、
前記第３連結雄体（６１）を背板（３）の内側（収納室側）から連結する第３または第４保持軸（３９ｃ、３９ｄ）と、
前記背板（３）に結合した第３連結雄体（６１）と第３または４保持軸（３９ｃ、３９ｄ）とを固着する第１または第２固定ピン（４７ａ、４７ｂ）とからなることを特徴とするランドセル。
【請求項１８】
前記ランドセル（１）の蓋板（５）は、挿通孔（６）の周縁下地に設けた補強芯地（７）を介して連通孔（６）の内周縁には金属製の補強環（８）を取付けてなることを特徴とする請求項１７記載のランドセル。
【請求項１９】
前記第３連結雄体（６１）は、一端に設けた係止鍔部（６２）の軸心方向に前記蓋板（５）を連結する連結軸部（６３）と、前記連結雌体（７１）を着脱可能にロックするねじ軸部（６５）を一体に形成し、係止鍔部（６２）側の軸心方向一端に前記第３または第４保持軸（３９ｃ、３９ｄ）の挿通軸部（４１ｃ、４１ｄ）を嵌合する軸受孔（６６）を設け、他端の軸心方向に嵌合凹部（６７）を設け、該嵌合凹部と軸受孔（６６）とをピン孔（６８）で貫通してなることを特徴とする請求項１７記載のランドセル。
【請求項２０】
前記第３連結雌体（７１）は、一端に設けた開口部（７３）の内周面に前記第３連結雄体（６１）のねじ軸部（６５）に着脱可能に螺合するねじ溝部（７５）を設け、前記開口部（７３）の端面全体に第２ロック手段（Ｔ）であるロック部（７７）を山形で凹凸状に設けてなることを特徴とする請求項１７記載のランドセル。
【請求項２１】
前記第３保持軸（３９ｃ）は、一端に設けた頭部（４０ｃ）の軸心方向に挿通軸部（４１ｃ）を一体に設け、該挿通軸部の中央軸心方向に第１または第２固定ピン（４７ａ、４７ｂ）の軸部（４９ａ、４９ｂ）を嵌合または螺合する軸孔（４２）を設けてなることを特徴とする請求項１７記載のランドセル。
【請求項２２】
前記第４保持軸（３９ｄ）は、一端に設けた頭部（４０ｄ）の軸心方向に設けた挿通軸部（４１ｄ）の外周面全体に金属材からなる保護筒部（４３）を装着し、挿通軸部（４１ｄ）の中央軸心方向に第１、２固定ピン（４７ａ、４７ｂ）の軸部（４９ａ、４９ｂ）を嵌合または螺合する軸孔（４２ｄ）を設けてなることを特徴とする請求項１７記載のランドセル。
【請求項２３】
前記第１固定ピン（４７ａ）は、一端に設けた頭部（４８ａ）の軸心方向に軸部（４９ａ）を一体に形成し、該軸部の同心円上に複数の鍔部（５１）を一体に設けてなることを特徴とする請求項１７記載のランドセル。
【請求項２４】
前記第２固定ピン（４７ｂ）は、一端に設けた頭部（４８ｂ）の軸心方向に設けた軸部（４９ｂ）に螺条部（５２）を一体に設けてなることを特徴とする請求項１７記載のランドセル。
【請求項２５】
前記第１、２、３連結雄体（１１ａ、１１ｂ、６１）の保持軸部（１３ａ、１３ｂ、６３）の長さＹと、第１、２、３、４保持軸（３９ａ、３９ｂ、３９ｃ、３９ｄ）の挿通軸部（４１ａ、４１ｂ、４１ｃ、４１ｄ）の長さＸは、連結する被連結物の厚さに合致した長さにそれぞれ形成してなることを特徴とする請求項１、８、１７のいずれか１記載のランドセル。
【考案の詳細な説明】
【技術分野】
【０００１】
本考案は、学童用ランドセルの改良に関する。
【背景技術】
【０００２】
従来、学童用ランドセルは、天然皮革または合成皮革などにより形成されたランドセル本体と、該ランドセル本体の上面全体を覆う蓋板（かぶせ）と、ランドセル本体を背負う背負いベルト（図示せず）とにより構成してある。前記ランドセル本体は、教科書やノートなどを収納する主収納室と、各種教材などを収容する副収納室と各種小物などを収納する前ポケットとにより構成され、上方開口部に前記蓋板を開閉可能に被せて収容物の落下と雨水に濡れるのを防止している。
【０００３】
この、蓋板は、一端を背板の上端に縫着固定して取付け、主収納室と副収納室および前ポケットを覆ってランドセル本体の底面に取付けた留め金具に着脱可能に取付けてある。そのため、ランドセルの蓋板は、毎日何度も開閉するため汚れが付着したり、通学時の悪戯や遊びでぶつけるため傷つきやすく、経年劣化が早かった。さらには、蓋板の表面に落書きしたりワッペンやシールを張ったりするため、糊の跡やシミが残ったりしやすい。したがって、汚れたりまたは傷ついた状態のランドセルを６年間使用せざるを得なかった。
【０００４】
さらには、昨今は、ランドセルのファッション化が進み、様々な色や形状のランドセルが市販され、特に蓋板の表面に施される色や装飾模様は、学童の注意を喚起する斬新なものが多くなっている。そのため、傷ついたり汚れたりしたランドセルの蓋板を着脱可能で交換可能にしたランドセルが広く知られている（特許文献１、２）。
【先行技術文献】
【特許文献】
【０００５】
【特許文献１】特開２００９−６０９２４号
【特許文献２】特開２００９−２４７８４３号
【０００６】
しかし、蓋板を着脱可能に取付けた前者のランドセルは、蓋板をランドセルの背板に取付けるための連結手段が、着脱手段３を設けて連結するとのみ記載し、具体的な着脱手段が記載されておらず回転錠、スナップボタン、螺子などと抽象的に記載されているが、具体的な着脱手段が記載されていないため、発明を構成していない。
【０００７】
後者の蓋板を着脱可能に取付けたランドセルは、留め金具を介して着脱自在に取付けてある。と記載されているが、留金具はスナップボタンとあるが、そのスナップボタンの構成が記載されていない。さらには、面テープまたはホックでもよい。と記載されているが具体的な構成がなく、発明を構成していない。
【０００８】
そのため、ランドセルの蓋体を着脱可能取付けるようにしたアイデアは表現されているが、その具体的な着脱手段または留金具の構成がないため発明を開示したものとは認め難い。さらには、前記した着脱手段および留め金具は、着脱可能に形成してあるが、外れ防止用のロック手段について何ら開示されていない。そのため、乱暴に取り扱うランドセルは、長年の使用により脱手段および留め金具が外れて蓋板が取れてしまうという問題点を有している。
【考案の概要】
【考案が解決しようとする課題】
【０００９】
そこで、本考案はランドセル本体を覆う蓋板の上端を背板の上端に雄体と雌体とかなる雌雄一対型でロック手段を有する連結留具を取付けたことにより、背板に取付ける蓋板を安全確実に着脱可能にし、且つ、蓋板を交換可能にしたことによりランドセルを長持ちさせることができると共に、ランドセルの製造コストの軽減を図ることを目的とするものである。
【課題を解決するための手段】
【００１０】
上記課題を達成するため請求項１の考案は、背板３の背面側に主収容室と副収容室と前ポケットを設けたランドセル本体２と、該ランドセル本体の上面全体を覆う蓋板５と、前記背板３の上部中央に一端を取付けた背負ベルトとからなるランドセル１において、前記背板３に蓋板５を着脱可能に取付ける第１連結留具１０ａは、前記背板３の外側（背負面側）に取付ける第１連結雄体１１ａと、前記第１連結雄体１１ａの連結軸部１３ａに装着した蓋板５を着脱可能に連結固定する第１連結雌体３１ａと、前記第１連結雄体１１ａを背板３の内側（収納室側）から連結する第１または第２保持軸３９ａ、３９ｂと、前記第１連結雄体１１ａに連結した第１連結雌体３１ａの弛みを防止する第１ロック手段Ｍとからなることを特徴とする。また、前記ランドセル１の蓋板５は、挿通孔６の周縁下地に設けた補強芯地７を介して連通孔６の内周縁に金属製の補強環８を取付けてなることを特徴とする。さらには、前記第１連結雄体１１ａは、一端に設けた係止鍔部１２ａの軸心方向に前記蓋板５を連結する連結軸部１３ａと係止軸部１６ａと嵌合軸部１７ａとを同一軸心上に連設し、前記嵌合軸部１７ａは、周縁を平行方向に切欠いた切欠部１９ａと、端面中央に嵌合凹部１８ａと端面の周縁にロック凹部２０ａを備え、前記係止鍔部１２ａ側の中央軸心方向に前記第１、２保持軸３９ａ、３９ｂの挿通軸部４１ａ、４１ｂが嵌合する軸受孔２３ａを設けてなることを特徴とする。さらにはまた、前記第１連結雌体３１ａは、一端に前記第１連結雄体１１ａの嵌合軸部１７ａに挿通する連結孔３２ａの内周縁に前記嵌合軸部１７ａに係止するロック鍔部３３を設け、他端の端面に三方向を切欠いて設けた可撓性を有する可動ロック片３５ａの内側に、前記第１連結雄体１１ａの嵌合凹部１８ａとロック凹部２０ａにそれぞれ着脱可能に嵌合する嵌合凸部３６ａとロック凸部３７ａを一体に設けてなることを特徴とする。また、前記第１ロック手段Ｍは、第１連結雄体１１ａの嵌合軸部１７ａと、該嵌合軸部に設けた嵌合凹部１８ａとロック凹部２０ａに、第１連結雌体３１ａの連結孔３２ａに設けたロック鍔部３３ａと、可動ロック片３５ａの内側に設けた嵌合凸部３６ａとロック凸部３７ａを着脱可能に嵌合してなることを特徴とする。さらには、前記第１保持軸３９ａは、一端に設けた頭部４０ａの軸心方向に挿通軸部４１ａを一体に設け、該挿通軸部の外周面に複数の鍔部５５を軸心方向に設けてなり、前記第１連結雄体１１ａの軸受孔２３ａに挿通軸部４１ａを圧入して連結することを特徴とする。さらにはまた、前記第２保持軸３９ｂは、一端に設けた頭部４０ｂの軸心方向に挿通軸部４１ｂを一体に設け、該挿通軸部の外周面に螺条部５６を一体に設けてなり、前記第１連結雄体１１ａの軸受孔２３ａに設けたネジ部と挿通軸部４１ｂに設けた螺条部５６ｂとを螺着して連結可能にしてなることを特徴とする。
【００１１】
したがって、ランドセル１の背板３に蓋体５を第１連結留具１０ａで交換可能に取付けることにより、経年変化により傷んだ蓋板５、或いはシールの張付け落書きで汚れた蓋板５を交換可能にすることができる。また、蓋板５の表面柄や表面の色が異なる複数の蓋板５を備え、その日の気分や学校へ着ていく洋服、または季節に合わせた柄や色の蓋体を取付けて行くことにより、自分だけのオリジナルランドセルに変身させることができる。さらには、男女の兄弟間ではランドセルのお下がりができなかったが、ランドセル本体の色を男女兼用が可能な色にした場合、蓋板５を交換するだけで男女いずれのランドセルにも変身させることができる。また、第１連結留具１０ａは、第１連結雄体１１ａと第１または第２保持軸３９ａ、３９ｂとで確実に背板３に固定するため、長期間使用しても背板３から第１連結雄体１１ａが脱落することなく使用することができる。さらには、第１連結留具１０ａには、第１ロック手段Ｍを設けてあることから、使用中にランドセル１から蓋板５が外れるおそれがなく安全に使用することができる。
【００１２】
請求項８記載の考案は、背板３の背面側に主収容室と副収容室と前ポケットを設けたランドセル本体２と、該ランドセル本体の上面全体を覆う蓋板５と、前記背板３の上部中央に一端を取付けた背負ベルトとからなるランドセル１において、前記背板３に蓋板５を着脱可能に取付ける第２連結留具１０ｂは、前記背板３の外側（背負面側）に取付ける第２連結雄体１１ｂと、前記第２連結雄体１１ｂの連結軸部１３ｂに装着した蓋板５を着脱可能に連結固定する第２連結雌体３１ｂと、前記第２連結雄体１１ｂを背板３の内側（収納室側）から連結する第３または第４保持軸３９ｃ、３９ｄと、前記背板３に結合した第２連結雄体１１ｂと第３または第４保持軸３９ｃ、３９ｄとを固着する第１または第２固定ピン４７ａ、４７ｂと、互いに連結した第２連結雄体１１ｂと第２連結雌体３１ｂとの間に第１ロック手段Ｍを設けてなることを特徴とする。また、前記ランドセル１の蓋板５は、挿通孔６の周縁下地に設けた補強芯地７を介して連通孔６の内周縁には金属製の補強環８を取付けてなることを特徴とする。さらには、前記第２連結雄体１１ｂは、一端に設けた係止鍔部１２ｂの軸心方向に前記蓋板５を連結する連結軸部１３ｂと係止軸部１６ｂと嵌合軸部１７ｂとを同一軸心上に連設し、前記嵌合軸部１７ｂは、周縁を平行方向に切欠いた切欠部１９ｂと、端面中央に嵌合凹部１８ｂと端面の周縁にロック凹部２０ｂとを備え、前記係止鍔部１２ｂ側の中央軸心方向に前記第３または第４保持軸３９ｃ、３９ｄの挿通軸部４１ｃ、４１ｄが嵌合する軸受孔２３ｂを設け、該軸受孔と前記嵌合凹部１８ｂとの間にピン孔２２を設けて連通してなることを特徴とする。さらには、前記第２連結雌体３１ｂは、一端に前記第２連結雄体１１ｂの嵌合軸部１７ｂに挿通する連結孔３２ｂの内周縁に前記嵌合軸部１７ｂの切欠部１９ｂに挿通して嵌合軸部１７ｂにロックするロック鍔部３３ｂを設け、他端の端面に三方向を切欠いた切溝部３４ｂを有した可撓性を有する可動ロック片３５ｂを設けてなり、該可動ロック片の内側に前記第２連結雄体１１ｂの嵌合凹部１８ｂとロック凹部２０ｂにそれぞれ着脱可能に嵌合する嵌合凸部３６ｂとロック凸部３７ｂを一体に設けてなることを特徴とする。さらにはまた、前記第１ロック手段Ｍは、第２連結雄体１１ｂの嵌合軸部１７ｂと、該嵌合軸部に設けた嵌合凹部１８ｂとロック凹部２０ｂに、第２連結雌体３１ｂの連結孔３２ｂに設けたロック鍔部３３ｂと、可動ロック片３５ｂの内面に設けた嵌合凸部３６ｂとロック凸部３７ｂとを着脱可能に嵌合してなることを特徴とする。また、前記第３保持軸３９ｃは、一端に設けた頭部４０ｃの軸心方向に挿通軸部４１ｃを一体に設け、該挿通軸部の中央軸心方向に第１または第２固定ピン４７ａ、４７ｂの軸部４９ａ、４９ｂを嵌合または螺合する軸孔４２ｃを設けてなることを特徴とする。さらには、前記第４保持軸３９ｄは、一端に設けた頭部４０ｄの軸心方向に設けた挿通軸部４１ｄの外周面全体に金属材からなる保護筒部４３を装着し、挿通軸部４１ｄの中央軸心方向に第１または第２固定ピン４７ａ、４７ｂの軸部４９ａ、４９ｂを嵌合または螺合する軸孔４２ｄを設けてなることを特徴とする。さらにはまた、前記第１固定ピン４７ａは、一端に設けた頭部４８ａの軸心方向に軸部４９ａを一体に形成し、該軸部の同心円上に複数の鍔部５１を一体に設けてなることを特徴とする。また、前記第２固定ピン４７ｂは、一端に設けた頭部４８ｂの軸心方向に設けた軸部４９ｂに螺条部５２を一体に設けてなることを特徴とする。
【００１３】
したがって、ランドセル１の背板３に蓋体５を第２連結留具１０ｂで交換可能に取付けることにより、経年変化により傷んだ蓋板５、或いはシールの張付け落書きで汚れた蓋板５を簡単に交換することができるので、卒業まできれいな状態のランドセルを使用することができ、また、蓋板５の表面柄や表面の色が異なる複数の蓋板５を備え、その日の気分や学校へ着ていく洋服、または季節に合わせた柄や色の蓋体を取付けて行くことにより、自分だけのオリジナルランドセルに変身させることができる。さらには、男女の兄弟間ではランドセルのお下がりができなかったが、ランドセル本体の色を男女兼用が可能な色にした場合、蓋板５を交換するだけで男女いずれのランドセルにも変身させることができる。さらにはまた、第２連結留具１０ｂは、第２連結雄体１１ｂと第３または第４保持軸３９ｃ、３９ｄとを第１または第２固定ピン４７ａ、４７ｂで確実に背板３に固定することができるため、長期間使用しても背板３から第２連結雄体１１ｂが脱落することなく使用することができる。また、第２連結留具１０ｂには、第１ロック手段Ｍを有していることから、使用中にランドセル１から蓋板５が外れるおそれがなく安全に使用することができる。
【００１４】
請求項１７記載の考案は、背板３の背面側に主収容室と副収容室と前ポケットを設けたランドセル本体２と、該ランドセル本体の上面全体を覆う蓋板５と、前記背板３の上部中央に一端を取付けた背負ベルトとからなるランドセル１において、前記背板３に蓋板５を着脱可能に取付ける第３連結留具６０は、前記背板３の外側（背負面側）に取付ける第３連結雄体６１と、前記第３連結雄体６１の連結軸部６３に装着した蓋板５を着脱可能に連結固定する第２ロック手段Ｔを有する第３連結雌体７１と、前記第３連結雄体６１を背板３の内側（収納室側）から連結する第３または第４保持軸３９ｃ、３９ｄと、前記背板３に結合した第３連結雄体６１と第３または第４保持軸３９ｃ、３９ｄとを固着する第１または第２固定ピン４７ａ、４７ｂとからなることを特徴とする。また、前記ランドセル１の蓋板５は、挿通孔６の周縁下地に設けた補強芯地７を介して連通孔６の内周縁には金属製の補強環８を取付けてなることを特徴とする。さらには、前記第３連結雄体６１は、一端に設けた係止鍔部６２の軸心方向に前記蓋板５を連結する連結軸部６３と、前記連結雌体７１を着脱可能にロックするねじ軸部６５を一体に形成し、係止鍔部６２側の軸心方向一端に前記第３または第４保持軸３９ｃ、３９ｄの挿通軸部４１ｃ、４１ｄを嵌合する軸受孔６６を設け、他端の軸心方向に嵌合凹部６７を設け、該嵌合凹部と軸受孔６６とをピン孔６８で貫通してなることを特徴とする。さらにはまた、前記第３連結雌体７１は、一端に設けた開口部７３の内周面に前記第３連結雄体６１のねじ軸部６５に着脱可能に螺合するねじ溝部７５を設け、前記開口部７３の端面全体に第２ロック手段Ｔであるロック部７７を山形で凹凸状に設けてなることを特徴とする。また、前記第３保持軸３９ｃは、一端に設けた頭部４０ｃの軸心方向に挿通軸部４１ｃを一体に設け、該挿通軸部の中央軸心方向に第１または第２固定ピン４７ａ、４７ｂの軸部４９ａ、４９ｂを嵌合または螺合する軸孔４２を設けてなることを特徴とする。さらには、前記第４保持軸３９ｄは、一端に設けた頭部４０ｄの軸心方向に設けた挿通軸部４１ｄの外周面全体に金属材からなる保護筒部４３を装着し、挿通軸部４１ｄの中央軸心方向に第１または第２固定ピン４７ａ、４７ｂの軸部４９ａ、４９ｂを嵌合または螺合する軸孔４２ｄを設けてなることを特徴とする。さらにはまた、前記第１固定ピン４７ａは、一端に設けた頭部４８ａの軸心方向に軸部４９ａを一体に形成し、該軸部の同心円上に複数の鍔部５１を一体に設けてなることを特徴とする。また、前記第２固定ピン４７ｂは、一端に設けた頭部４８ｂの軸心方向に設けた軸部４９ｂに螺条部５２を一体に設けてなることを特徴とする。さらには、前記第１、２、３連結雄体１１ａ、１１ｂ、６１の連結軸部１３ａ、１３ｂ、６３の長さＹと、第１、２、３、４保持軸３９ａ、３９ｂ、３９ｃ、３９ｄの挿通軸部４１ａ、４１ｂ、４１ｃ、４１ｄの長さＸは、連結する被連結物の厚さに合致した長さにそれぞれ形成してなることを特徴とする。
【００１５】
したがって、ランドセル１の背板３に蓋体５を第３連結留具６０で交換可能に取付けることにより、経年変化により傷んだ蓋板５、或いはシールの張付け落書きで汚れた蓋板５を簡単に交換可能に取付けることができる。また、蓋板を交換可能にしたことにより、卒業まできれいな状態のランドセルを使用することができる。さらに、蓋板５の表面柄や表面の色が異なる複数の蓋板５を備え、その日の気分や学校へ着ていく洋服、または季節に合わせた柄や色の蓋体を取付けて行くことにより、自分だけのオリジナルランドセルに変身させることができる。さらには、第３連結留具６０の第３連結雄体６１と第３連結雌体７１の構造、さらには第３連結雌体７１に設けた弛み止め構造が簡単であるため、製造コストが安価で経済的である。
【図面の簡単な説明】
【００１６】
【図１】本考案にかかるランドセルの背板に蓋板を取付けた実施形態を示す斜視図である。
【図２】背板と蓋板に設けた連結孔を示す一部破断した正面図である。
【図３】第１連結留具の分解断面図である。
【図４】（ａ）は第１連結留具の第１連結雄体を示す背面図である。（ｂ）は第１連結雄体の正面図である。（ｃ）は第１連結雄体の側面図である。（ｄ）は第１連結雄体の平面図である。（ｅ）は（ｃ）のＥ―Ｅ線断面図である。
【図５】（ａ）は第１連結留具の第１連結雌体を示す背面図である。（ｂ）は第１連結雌体の正面図である。（ｃ）は（ｂ）のＡ―Ａ線断面図である。（ｄ）は（ｂ）のＢ―Ｂ線断面図である。（ｅ）は（ｃ）のＣ―Ｃ線断面図である。
【図６】第１保持軸の側面図である。
【図７】第２保持軸の側面図である。
【図８】第２連結留具の分解断面図である。
【図９】第２連結留具の第２連結雄体を示す中央横断面図である。
【図１０】第３保持軸の中央断面図である。
【図１１】第４保持軸の中央断面図である。
【図１２】第１固定ピンの側面図である。
【図１３】第２固定ピンの側面図である。
【図１４】連結雄体と保持軸の他の実施例を示す側面図である。
【図１５】背板に取付けた連結雄体に蓋板を取付ける前状態を示す断面図である。
【図１６】連結雄体に取付けた蓋板を連結雌体で押圧したロック前状態を示す断面図である。
【図１７】連結雄体に取付けた蓋板を連結雌体でロックした状態を示す断面図である。
【図１８】第３連結留具の分解断面図である。
【図１９】第３連結留具の第３連結雌体を示す底面図である。
【図２０】第３連結留具で蓋板を留める状態を示す中央断面図である。
【図２１】第３連結留具で蓋板を連結した状態を示す中央断面図である。
【図２２】ランドセルの背負いベルトの一端を連結留具で連結した状態を示す要部拡大断面図である。
【図２３】ランドセルの背板に連結留具を使用して背環を取付けた状態を示す要部拡大断面図である。
【考案を実施するための最良の形態】
【００１７】
本考案の第１の実施の形態を図面に基づいて説明すると、図１は本考案にかかるランドセルの背板に蓋板を取付けた実施形態を示す斜視図、図２は背板と蓋板に設けた連結孔を示す一部破断した正面図、図３は背板に蓋板を留める第１連結留具の分解断面図、図４の（ａ）は連結留具の第１連結雄体を示す背面図、（ｂ）は第１連結雄体の正面図、（ｃ）は第１連結雄体の側面図、（ｄ）は第１連結雄体の平面図、（ｅ）は（ｃ）のＥ―Ｅ線断面図、図５の（ａ）は連結留具の第１連結雌体を示す背面図、（ｂ）は第１連結雌体の正面図、（ｃ）は（ｂ）のＡ―Ａ線断面図、（ｄ）は（ｂ）のＢ―Ｂ線断面図、（ｅ）は（ｃ）のＣ―Ｃ線断面図、図６は第１保持軸の側面図、図７は第２保持軸の側面図である。ランドセル１は、背板３の背面側に位置する主収容室、副収容室、前ポケットとからなるランドセル本体２と、このランドセル本体２を覆う蓋板５と、ランドセル本体２を背負う一対の背負ベルト（図示せず）とにより構成され、前記背板３に蓋板５を第１連結留具１０ａで着脱可能に取付けてある。
【００１８】
第１連結留具１０ａは、図２、３に示すごとく、前記ランドセル本体２の背板３の上端に取付ける第１連結雄体１１ａと、該第１連結雄体に装着した蓋板５を着脱可能に固着する第１連結雌体３１ａと、前記第１連結雄体１１ａを背板３の内側（収納室側）から連結する第１または第２保持軸３９ａ、３９ｂと、前記第１連結雄体１１ａに連結した第１連結雌体３１ａの弛みを防止する第１ロック手段Ｍとにより構成してある。
【００１９】
前記背板３は、図２に示すごとく、上端に複数、少なくとも３〜５、好ましくは、４個の連結孔４を設け、前記蓋板５は、一端に前記背板３の連結孔４と合致する位置に複数の連結孔６を設けてある。前記蓋板５の連結孔６の周面には、連結孔６の劣化及び広がりを防止する補強芯板７と連結孔６の内周縁の広がりを防止する金属製のはとめなどからなる補強環８を取付けてある。
【００２０】
前記第１連結雄体１１ａは、図３または図４の（ａ）から（ｅ）に示すごとく、一端に設けた係止鍔部１２ａの軸心方向に前記蓋板５を連結する連結軸部１３ａと、前記第１連結雌体３１ａを着脱可能に連結する係止軸部１６ａと嵌合軸部１７ａを連設し、前記係止鍔部１２ａ側の中央軸心方向に前記第１、２保持軸３９ａ、３９ｂの挿通軸部４１ａ、４１ｂが嵌合する軸受孔２３ａを設けてある。
【００２１】
前記第１連結雄体１１ａの嵌合軸部１７ａは、第１ロック手段Ｍの一方を構成し、図４ｂ、図４ｃに示すごとく、異径に形成した係止軸部１６ａと嵌合軸部１７ａとからなり、この嵌合軸部１７ａは、周縁を平行方向に切欠いた切欠部１９ａと、端面中央に前記第１連結雌体３１ａのロック凸部３６ａが嵌合する嵌合凹部１８ａと、該嵌合凹部の周縁を切り欠いたロック凹部２０ａを設けてある。
【００２２】
前記第１連結雌体３１ａは、図５に示すごとく、第１ロック手段Ｍの他方を構成し、一端に前記第１連結雄体１１ａの係止軸部１６ａに挿通する連結孔３２ａと、該連結孔の内周縁に前記嵌合軸部１７ａの切欠部１９ａを挿通して嵌合軸部１７ａの下面にロックするロック鍔部３３ａを一体に形成し、他端の端面に三方向を切欠いて切溝部３４ａを設けた中央に可撓性を有する可動ロック片３５ａを設け、該可動ロック片の裏面に前記第１連結雄体１１ａの嵌合軸部１７ａに設けた嵌合凹部１８ａとロック凹部２０ａにそれぞれ嵌合する嵌合凸部３６ａと、該嵌合凸部の周縁にロック凸部３７ａを一体に設けある。
【００２３】
この第1連結留具１０ａに示す第１ロック手段Ｍは、第１連結雄体１１ａの嵌合軸部１７ａに第１連結雌体３１ａの連結孔３２ａを挿入しながら押し込んで連結孔３２ａのロック鍔部３３ａが第１連結雄体１１ａの係止軸部１６ａに位置させ、次いで第１連結雌体３１ａを時計方向または反時計方向に半回転させてロック鍔部３３ａを嵌合軸部１７ａの下面に位置させて軸方向の移動をロックする第１ロック手段と、第１連結雄体１１ａの嵌合軸部１７ａの嵌合凹部１８ａとロック凹部２０ａに、第１連結雌体３１ａの連結孔３２ａの設けたロック鍔部３３ａと、可動ロック片３５ａの内面に設けた嵌合凸部３６とロック凸部３７を着脱可能に嵌合する第２ロック手段とからなる。
【００２４】
したがって、背板３と蓋板５とを連結する第１連結留具１０ａに第１ロック手段Ｍを設けたことにより、ランドセルに衝撃や振動などが加わっても、可動ロック片３５ａの弾発力が作用しているため、第１連結雌体３１ａの回動を防止し、第１連結雌体３１ａの軸心方向は、第１連結雄体１１ａの嵌合軸部１７ａの下面に第１連結雌体３１ａのロック鍔部３３ａが位置して移動するのをロックするので第１連結雌体３１ａが第１連結雄体１１ａから外れることを防止することができる。  
【００２５】
また、この第1連結留具１０ａは、第１連結雄体１１ａと第１連結雌体３１ａと第１または２保持軸３９ａの少ない部品でランドセルの背板３に蓋板５を着脱可能に連結することができるため、第1連結留具１０ａの留着または連結作業を簡単に行うことができるので作業の効率化を図ることができる。
【００２６】
以下、第１連結留具１０ａの実施の形態の作用について説明すると、ランドセル１の背板３に第１連結留具１０ａを使用して蓋板５を着脱可能に取付ける場合、図１５、１６、１７に示すごとく、背板３の内側（収容室側）から連結孔４に第１または第２保持軸３９ａ、３９ｂの挿通軸部４１ａ、４１ｂを挿通し、背板３の外側（背負いベルト側）から第１連結雄体１１ａの軸受孔２３ａに圧着または螺合して連結固着し、第１連結雄体１１ａの連結軸部１３ａに蓋板５の挿通孔６を装着し、該蓋板５の外側から第１連結雌体３１ａを装着してロックすることにより簡単で素早く背板３に蓋板５を連結することができる。
【００２７】
第１連結雄体１１ａと第１連結雌体３１ａとの第１ロック手段Ｍによる連結は、第１連結雄体１１ａの嵌合軸部１７ａに第１連結雌体３１ａの連結孔３２ａを挿入しながら押し込んで連結孔３２ａのロック鍔部３３ａが第１連結雄体１１ａの係止軸部１６ａに位置させると、その押圧力により第１連結雌体３１ａの可動ロック片３５ａが第１連結雄体１１ａの嵌合凹部１８ａの周縁に押され、図１６に示すごとく、可動ロック片３５ａが外側方向に可撓する。
【００２８】
次いで、第１連結雌体３１ａを時計方向または反時計方向に半回転させると、第１連結雌体３１ａのロック鍔部３３ａが嵌合軸部１７ａの下面に移動し、第１連結雌体３１ａを離すとロック鍔部３３ａが嵌合軸部１７ａの下面に密着することにより、第１連結雌体３１ａの軸方向への移動をロックする。
【００２９】
一方、第１連結雌体３１ａを時計方向または反時計方向に半回転させると、第１連結雌体３１ａの可動ロック片３５ａに設けた嵌合凸部３６とロック凸部３７は、第１連結雄体１１ａの嵌合軸部１７ａに設けた嵌合凹部１８ａとロック凹部２０ａの縁を乗り越えて嵌合凸部３６とロック凸部３７ｂは嵌合凹部１８ａとロック凹部２０ａに着脱可能に嵌合して第１連結雌体３１ａの回転方向への移動をロックすることができる。
【００３０】
したがって、第１連結留具１０ａは、第１ロック手段Ｍを設けたことにより第１連結雄体１１ａと第１連結雌体３１ａとを確実に連結固定することができるため、長期間使用しても第１連結雄体１１ａから第１連結雌体３１ａが脱落することなく使用することができランドセルに衝撃や振動などが加わっても、第１連結雌体３１ａが第１連結雄体１１ａから外れることを防止することができる。
【００３１】
第１連結留具１０ａのロック解除をする場合、第１連結雌体３１ａを蓋板５方向に押しながら時計方向または反時計方向に半回転させることにより、可動ロック片３５ａは、第１連結雌体３１ａの回動力と可動ロック片３５ａの可撓性により撓むことにより嵌合凸部３６ａが嵌合凹部１８ａの段部を撓みながら嵌合凹部１８ａの周縁を乗り越えて嵌合凸部３６ａが外れると同時に、第１連結雌体３１ａのロック鍔部３３ａが第１連結雄体１１ａの嵌合軸部１７ａの下面から外れて第１連結雌体３１ａのロックが解除され、第１連結雄体１１ａから第１連結雌体３１ａを引き抜くことができる。  
【００３２】
したがって、多種多様な表面柄や表面の色が異なる複数の蓋板５を備え、その日の気分や学校へ着ていく洋服、または季節に合わせた柄や色の蓋体を取付けて行くことにより、自分だけのオリジナルランドセルに変身させることができる。さらには、男女の兄弟間ではランドセルのお下がりができなかったが、ランドセル本体の色を男女兼用が可能な色にした場合、蓋板５を交換するだけで男女いずれのランドセルにも変身させることができる。
【００３３】
本考案の第２の実施の形態である第２連結留具１０ｂを図面に基づいて説明すると、図８は第２連結留具の分解断面図、図９は第２連結雄体の中央横断面図、図１０は保持軸の第３実施例を示す中央断面図、図１１は保持軸の第４実施例を示す中央断面図、図１２は固定ピンの第１実施例を示す側面図、図１３は固定ピンの第２実施例を示す側面図である。第２連結結留具１０ｂは、図８、９に示すごとく、前記ランドセル本体２の背板３の上端に取付ける第２連結雄体１１ｂと、該第２連結雄体に取付ける蓋板５を着脱可能に固着する第２連結雌体３１ｂと前記第２連結雄体１１ｂを背板に装着固定する第３または第４保持軸３９ｃ、３９ｄと第１または第２固定ピン４７ａ、４７ｂと、互いに連結した第２連結雄体１１ｂと第２連結雌体３１ｂとの間に第１ロック手段Ｍを設けてある。
【００３４】
前記背板３は、図２に示すごとく、上端に複数、少なくとも３〜５、好ましくは、４個の連結孔４を設け、前記蓋板５は、一端に前記背板３の連結孔４と合致する位置に複数の連結孔６を設けてある。前記蓋板５の連結孔６の周面には、連結孔６の劣化及び広がりを防止する補強芯板７と連結孔６の内周縁の広がりを防止する金属製のはとめなどからなる補強環８を取付けてある。
【００３５】
前記第２連結雄体１１ｂは、一端に設けた係止鍔部１２ｂの軸心方向に前記蓋板５を連結する連結軸部１３ｂと、前記第２連結雌体３１ｂを着脱可能にロックする係止軸部１６ｂと嵌合軸部１７ｂとを連設し、前記嵌合軸部１７ｂは、周縁を平行方向に切欠いた切欠部１９と、端面中央に嵌合凹部１８ｂと周縁にロック凹部２０ｂとを備え、前記係止鍔部１２ｂ側の中央軸心方向に前記第３、４保持軸３９ｃ、３９ｄの挿通軸部４１ｃ、４１ｄが嵌合する軸受孔２３ｂを設け、該軸受孔と前記嵌合凹部１８ｂとの間にピン孔２２を設けて連通してある。
【００３６】
前記第２連結雌体３１ｂは、一端に前記第２連結雄体１１ｂの嵌合軸部１７ｂが挿通する連結孔３２ｂの内周縁に前記嵌合軸部１７ｂの切欠部１９ｂを挿通して嵌合軸部１７ｂの裏面に係止するロック鍔部３３ｂを設け、他端の端面三方向に切欠いた切溝部３４ｂを有した可撓性を有する可動ロック片３５ｂを設けてなり、該可動ロック片の内側に前記第２連結雄体１１ｂの嵌合凹部１８ｂとロック凹部２０ｂにそれぞれ着脱可能に嵌合する嵌合凸部３６ｂと、周縁にロック凸部３７ｂを一体に設けてある。
【００３７】
前記第２連結雌体３１ｂと第２連結雌体３１ｂに設けた第１ロック手段Ｍは、前記第１連結留具１０ａに記載した第１ロック手段Ｍと同一であることからここでの説明は内容が重複するため第１ロック手段Ｍの説明を省略する。
【００３８】
また、前記第３保持軸３９ｃは、図１０に示すごとく、一端に設けた頭部４０ｃの軸心方向に挿通軸部４１ｃを一体に設け、該挿通軸部の中央軸心方向に第１または第２固定ピン４７ａ、４７ｂの軸部４９ａまたは４９ｂを嵌合または螺合する軸孔４２ｃを設けある。
【００３９】
さらには、図１１に示す第４保持軸３９ｄは、一端に設けた頭部４０ｄの軸心方向に設けた挿通軸部４１ｄの外周面全体に金属材からなる保護筒部４３を装着し、挿通軸部４１ｄの中央軸心方向に第１または第２固定ピン４７ａ、４７ｂの軸部４９ａ、４９ｂを嵌合または螺合する軸孔４２ｃを設けてある。
【００４０】
前記第１固定ピン４７ａは、図１２に示すごとく、一端に設けた頭部４８ａの軸心方向に軸部４９ａを一体に形成し、該軸部の同心円上に複数の鍔部５１を一体に設け、前記第２連結雄体１１のピン孔２２から第３保持軸３９ｃまたは第４保持軸３９ｄの軸孔４２ｃ、４２ｄに圧着固定して連結する。
【００４１】
また、第２固定ピン４７ｂは、図１３に示すごとく、一端に設けた頭部４８ｂの軸心方向に設けた軸部４９ｂに螺条部５２を一体に設け、前記第連結雄体１１ｂのピン孔２２ｂから第３保持軸３９ｃまたは第４保持軸３９ｄの軸孔４２ｃ、４２ｄに螺合固定して連結する。
【００４２】
以下、第２連結留具１０ｂの実施の形態の作用について説明すると、第２連結留具１０ｂを使用してランドセル１の背板３に蓋板５を着脱可能に取付ける場合、図１５、１６、１７に示すごとく、背板３の内側（収容室側）から連結孔４に第３または第４保持軸３９ｃ、３９ｄの挿通軸部４１ｃ、４１ｄを挿通し、背板３の外側（背負いベルト側）から第２連結雄体１１ｂの軸受孔２３ｂに挿入嵌合する。
【００４３】
次いで、第１または第２固定ピン４７ａ、４７ｂの軸部４９ａ、４９ｂを前記第２連結雄体１１ｂの嵌合凹部１８ｂ側からピン孔２２を介して軸受孔２３ｂに装着してある前記第２保持軸３９ｃ、３９ｄの挿通軸部４１ｃ、４１ｄの軸孔４２に圧入または螺合して第２連結雄体１１ｂを背板３に固着する。さらに、第２連結雄体１１ｂの連結軸部１３ｂに装着した蓋板５の外側から第１連結雌体３１ｂを装着してロックすることにより簡単で素早く背板３に蓋板５を連結することができる。
【００４４】
第２連結留具１０ｂにおける第１ロック手段Ｍの作用は、前記第１連結留具ａに示した第１ロック手段Ｍと同一であることから、ここでの第１ロック手段Ｍの説明は重複することから省略する。
【００４５】
本考案の第３の実施の形態である第３連結留具６０を図面に基づいて説明すると、図１８は背板に蓋板を留める第３連結留具の分解断面図、図１９は第３連結雌体の底面図、図２０は第３連結留具で背板に蓋板を留める状態を示す中央断面図、図２１は第３連結留具で背板に蓋板を連結した状態を示す中央断面図である。第３連結結留具６０は、図１８、１９に示すごとく、背板３の背面側に主収容室と副収容室と前ポケットを設けたランドセル本体２と、該ランドセル本体の上面全体を覆う蓋板５と、前記背板３の上部中央に一端を取付けた背負ベルトとからなるランドセル１において、前記背板３の外側（背負面側）に取付ける第３連結雄体６１と、前記第３連結雄体６１の連結軸部６３に装着した蓋板５を着脱可能に連結固定する第２ロック手段Ｔを有する第３連結雌体７１と、前記第３連結雄体６１を背板３の内側（収納室側）から連結する第３または第４保持軸３９ｃ、３９ｄと、前記背板３に結合した第３連結雄体６１と第３または第４保持軸３９ｃ、３９ｄとを固着する第１または第２固定ピン４７ａ、４７ｂとにより構成されている。
【００４６】
前記第３連結雄体６１は、一端に設けた係止鍔部６２の軸心方向に前記蓋板５を連結する連結軸部６３と、前記第３連結雌体７１を着脱可能にロックするねじ軸部６５を一体に形成し、軸心方向一端に第３または第４保持軸３９ｃ、３９ｄの挿通軸部４１ｃ、４１ｄを嵌合する軸受孔６６を設け、他端の軸心方向に第１または第２固定ピン４７ａ、４７ｂの頭部４８ａ、４８ｂを収容する嵌合凹部６７を設け、該嵌合凹部と軸受孔６６との間にピン孔６８を設けて貫通してある。
【００４７】
前記第３連結雌体７１は、一端に設けた開口部７３の内周面に前記第３連結雄体６１のねじ軸部６５に着脱可能に螺合するねじ溝部７５を設け、前記開口部７３の端面全体に山形の凹凸状に形成したロック部７７を有する第２ロック手段Ｔを設けてある。
【００４８】
第３連結留具６０の第２ロック手段Ｔは、第３連結雌体７１の端面に設けたロック部７７を蓋板５の壁面に圧着することにより、凹凸状に形成したギザギザが壁面に食い込んで第３連結雌体７１の弛みを防止することができる。
【００４９】
第２ロック手段Ｔを緩める場合は、第３連結雌体７１を反時計方向に強く回すことにより、壁面に食い込んだロック部７７の摩擦力に抗して緩めることにより、ロックを解除することができる。
【００５０】
前記第３，４保持軸３９ｃ、３９ｄと第１，２固定ピン４７ａ、４７ｂは、前記第２連結留具１０ｂに示した第３，４保持軸３９ｃ、３９ｄまたは第１，２固定ピン４７ａ、４７ｂと同一であることから、説明が重複するためここでの説明は省略する。
【００５１】
以下、第３連結留具６０の実施の形態の作用について説明すると、第３連結留具６０を使用してランドセル１の背板３に蓋板５を着脱可能に取付ける場合、図２０、２１に示すごとく、背板３の内側（収容室側）から連結孔４に第３または第４保持軸３９ｃ、３９ｄの挿通軸部４１ｃ、４１ｄを挿通し、背板３の外側（ベルト側）から第３連結雄体６１の軸受孔６６に挿入嵌合する。
【００５２】
次いで、第３連結雄体６１の嵌合凹部６６側から第１または第２固定ピン４７ａ、４７ｂの軸部４９ａ、４９ｂはピン孔６８を介して軸受孔６６に挿入してある前記第３または第４保持軸３９ｃ、３９ｄの挿通軸部４１ｃ、４１ｄの軸孔４２に圧入または螺合して第３連結雄体６１を背板３に固着する。次いで、第３連結雄体６１の連結軸部６３に蓋板５を装着し、その外側から第３連結雌体７１を締着してロックすることにより簡単で素早く背板３に蓋板５を連結することができる。
【００５３】
第３連結留具６０の第２ロック手段Ｔは、第３連結雌体７１の端面に設けたロック部７７を蓋板５の壁面に圧着することにより、凹凸状に形成したギザギザが壁面に食い込んで第３連結雌体７１の弛みを防止することができる。第２ロック手段Ｔを緩める場合は、第３連結雌体７１を反時計方向に強く回すことにより、壁面に食い込んだロック部７７の摩擦力に抗して緩めることにより、ロックを解除することができる。
【００５４】
したがって、ランドセル１の背板３に取付ける蓋体５を、第３連結留具６０を使用して交換可能に取付けることにより、経年変化により傷んだ蓋板５、或いはシールの張付け落書きで汚れた蓋板５を簡単に交換可能に取付けることができる。また、第３連結留具６０の第３連結雄体６１と第３連結雌体７１の構造、さらには第３連結雌体７１に設けた弛み止め構造が簡単であるため、製造コストが安価で経済的である。さらには、蓋板を交換可能にしたことにより、卒業まできれいな状態のランドセルを使用することができる。さらに、蓋板５の表面柄や表面の色が異なる複数の蓋板５を備え、その日の気分や学校へ着ていく洋服、または季節に合わせた柄や色の蓋体を取付けて行くことにより、自分だけのオリジナルランドセルに変身させることができる。
【００５５】
図１４に示す第１、２、３連結雄体１１ａ、１１ｂ、６１の保持軸部１３ａ、１３ｂ、６３の長さＹと、第３、４保持軸３９ｃ、３９ｄの挿通軸部４１ｃ、４１ｄの長さＸは、それぞれ連結する被連結物、図２２に示す背負いベルト７８の厚さ、または図２３に示す背環８０の厚さに合致させて形成することができるのは勿論である。  
【符号の説明】
【００５６】
１    ランドセル
２    ランドセル本体
３    背板
４    連結孔
５    蓋板
６    連結孔
７    補強筒部
８    補強芯地
１０ａ  第１連結留具
１１ａ  第１連結雄体
１２ａ  鍔部
１３ａ  連結軸部
１６ａ  係止軸部
１７ａ  嵌合軸部
１８ａ  嵌合凹部
１９ａ  切欠部
２０ａ  ロック凹部
２２ａ  固定孔
２３ａ  軸受孔
３１ａ  第１連結雌体  
３２ａ  連結孔
３３ａ  ロック鍔部
３４ａ  切欠部
３５ａ  可動ロック片
３６ａ  嵌合凸部
３７ａ  ロック凸部
１０ｂ  第２連結留具
１１ｂ  第２連結雄体
１２ｂ  鍔部
１３ｂ  連結軸部
１６ｂ  係止軸部
１７ｂ  嵌合軸部
１８ｂ  嵌合凹部
１９ｂ  切欠部
２０ｂ  ロック凹部
２２ｂ  固定孔
２３ｂ  軸受孔
３１ｂ  第２連結雌体  
３２ｂ  連結孔
３３ｂ  ロック鍔部
３４ｂ  切欠部
３５ｂ  可動ロック片
３６ｂ  嵌合凸部
３７ｂ  ロック凸部
３９ａ  第１保持軸
４０ａ  頭部
４１ａ  挿通軸部
４２ａ  軸受孔
３９ｂ  第２保持軸
４０ｂ  頭部
４１ｂ  挿通軸部
４２ｂ  軸受孔
４３    保護筒部
３９ｃ  第３保持軸
４０ｃ  頭部
４１ｃ  挿通軸部
４２ｃ  軸受孔
５１    鍔部
３９ｄ  第４保持軸
４０ｄ  頭部
４１ｄ  挿通軸部
５２    螺条部
４７ａ  第1固定ピン
４８ａ  頭部
４９ａ  軸部
５５    鍔部
４７ｂ  第２固定ピン
４８ｂ  頭部
４９ｂ  軸部
５６    螺条部
６０    第３連結留具
６１    第３連結雄体
６２    鍔部
６３    連結軸部
６５    ねじ軸部
６６    嵌合凹部
６７    挿入孔
６８    ピン孔
７１    第３連結雌体  
７３    開口部
７４    ねじ溝部
７７    ロック部
Ｍ      第１ロック手段
Ｔ      第２ロック手段
【図１】
0003213899.tif 000003
【図２】
0003213899.tif 000004
【図３】
0003213899.tif 000005
【図４】
0003213899.tif 000006
【図５】
0003213899.tif 000007
【図６】
0003213899.tif 000008
【図７】
0003213899.tif 000009
【図８】
0003213899.tif 000010
【図９】
0003213899.tif 000011
【図１０】
0003213899.tif 000012
【図１１】
0003213899.tif 000013
【図１２】
0003213899.tif 000014
【図１３】
0003213899.tif 000015
【図１４】
0003213899.tif 000016
【図１５】
0003213899.tif 000017
【図１６】
0003213899.tif 000018
【図１７】
0003213899.tif 000019
【図１８】
0003213899.tif 000020
【図１９】
0003213899.tif 000021
【図２０】
0003213899.tif 000022
【図２１】
0003213899.tif 000023
【図２２】
0003213899.tif 000024
【図２３】
0003213899.tif 000025